(57)【特許請求の範囲】
【請求項１】
一対の縦杆を複数の水平なステップバーで連結した梯子状の基体と、この基体の最下段のステップバーに一体的に結合された断面Ｌ字形の部材で、基体に平行な前垂れ部を表面側に突出させた少なくとも１個の引掛け体と、基体の最上部にステップバーと平行な関係位置で装着され、基体の縦杆に垂直な平面に対する投影形状が裏面側に開いたＶ字形の係合杆と、引掛け体を梯子又は脚立の任意のステップバーに裏面側から引掛けた基体を梯子又は脚立に取り外し可能に連結する固定機構とを有し、この固定機構は、引掛け体の上方における縦杆、又は縦杆の水平方向における近傍において回動自在に支承された基体に垂直な支軸と、この支軸の表面側の端部に装着された基体に平行なアームと、このアームの自由端部に固設された支軸と平行なねじ杆と、このねじ杆と同軸に螺合する弾性体からなる押し付け体と、上記ねじ杆の表面側の端部に装着されたアームに平行な操作レバーとを備え、上記引掛け体を介して梯子又は脚立の裏面側に係合させた基体を梯子又は脚立の裏面に当接させた後、表面側に突き抜けた操作レバーを介して押し付け体を回動させ、これを梯子又は脚立のステップバーの下面に圧接させることにより引掛け体と押し付け体とを上下方向に拡開するようにしたことを特徴とする梯子及び脚立の延長アタッチメント。
【発明の詳細な説明】
【技術分野】
【０００１】
この発明は梯子及び脚立の延長アタッチメント（以下単にアタッチメントという）に係り、梯子、或いは展開して梯子状にした脚立（以下単に梯子という）を簡単な操作で延長できると共に、梯子を安定させることができるアタッチメントに関する。
【背景技術】
【０００２】
梯子及び脚立の構造や使用目的はずっと以前から周知であるから、ここでは更に詳細な説明は省略する。
【先行技術文献】
【特許文献】
【０００３】
【特許文献１】特願２０１０−２７３７１１
【特許文献２】特開平０８−０４２２７２
【特許文献３】特開平０９−２３５９７２
【発明の概要】
【発明が解決しようとする課題】
【０００４】
梯子や脚部を拡開して梯子とした脚立を、電柱や樹木に立て掛けて梯子として使用するとき、当該梯子の最上段のステップバーと電柱等は点接触をするので、足場の悪いところではグラグラしたり、重心が変化すると滑ったりして大変危険である。
【０００５】
そこで、本出願人は先に、上記特許文献１に記載された発明を以て、三段構成の脚立であって、展開すると梯子になるものの最上端に水平な係合杆を設け、この係合杆の電柱側の裏面に浅いＶ字形の切欠を形成した梯子を兼ねる脚立を提案した。
【０００６】
この梯子を兼ねる脚立は、しかしながら、係合杆の位置が一定になってしまい、樹木や電柱の取付位置に応じて係合杆の位置を変化させることができない、という不便さが残る。
【０００７】
また、上記係合杆を装着位置調節可能に梯子や脚立に装着しようとすると、前記特許文献２、３に記載されたような取付機構を必要とするが、これらは構造が複雑で重くなるばかりでなく、取り扱いが面倒である、等未だ改良の余地がある。
【０００８】
そこで、この発明は、梯子、或いは展開して梯子状にした脚立の梯子を簡単な操作で延長できると共に、梯子を安定させることができるアタッチメントを提供することを目的としている。
【課題を解決するための手段】
【０００９】
上記の目的を達成するため、請求項１に記載の発明は、一対の縦杆を複数の水平なステップバーで連結した梯子状の基体と、この基体の最下段のステップバーに一体的に結合された断面Ｌ字形の部材で、基体に平行な前垂れ部を表面側に突出させた少なくとも１個の引掛け体と、基体の最上部にステップバーと平行な関係位置で装着され、基体の縦杆に垂直な平面に対する投影形状が裏面側に開いたＶ字形の係合杆と、引掛け体を梯子又は脚立の任意のステップバーに裏面側から係合させた基体を梯子又は脚立に取り外し可能に連結する固定機構とを有し、この固定機構は、引掛け体の上方における縦杆、又は引掛け体の上方における縦杆の水平方向における近傍において回動自在に支承された基体に垂直な支軸と、この支軸の表面側の端部に装着された基体に平行なアームと、このアームの自由端部に固設された支軸と平行なねじ杆と、このねじ杆と同軸に螺合する弾性体からなる押し付け体と、上記ねじ杆の表面側の端部に装着されたアームに平行な操作レバーとを備え、上記引掛け体を介して梯子又は脚立の裏面側に係合させた基体を梯子又は脚立の裏面に当接させた後、表面側に突き抜けた操作レバーを介して押し付け体を回動させ、これを梯子又は脚立のステップバーの下面に圧接させることにより引掛け体と押し付け体とを上下方向に拡開するようにしたことを特徴とする。
【発明の効果】
【００１０】
上記のように構成されたこの発明によるアタッチメントは、引掛け体を梯子の裏面側から任意の高さのステップバーに引掛け、次いで基体を梯子の裏面に近接させた後梯子の表面側に突き抜けた固定機構を操作すれば梯子に装着できるので、アタッチメントの装着が非常に簡単である。
【００１１】
また、基体の最上部に、縦杆に垂直な平面に対する投影形状が裏面側に開いたＶ字形の係合杆を装着したので、電柱や樹木などにこの係合杆のＶ字形を係合させることにより梯子が格段に安定して使用勝手が向上する。
【００１２】
更にまた、通常の使用条件においては、固定機構に掛かる静荷重はゼロであり、アタッチメントに印加される梯子の長さ方向の荷重は引掛け体によって担持される。
【００１３】
そして、荷重を担持する引掛け体は構造が簡単であるから丈夫であり、従ってアタッチメントは長期間その機能を維持することができる、等種々の効果を奏する。
【図面の簡単な説明】
【００１４】
【図１】本発明の一実施例によるアタッチメントの正面図。
【図２】図１のＩＩ−ＩＩ線による拡大一部断面図。
【図３】図２のＩＩＩ−ＩＩＩ線による拡大一部断面図。
【図４】図１のＩＶ−ＩＶ線による一部断面平面図。
【図５】図４のＶ−Ｖ線による拡大側面図。
【図６】アタッチメントの側面図。
【図７】固定機構の拡大正面図。
【図８】固定機構の一部断面拡大側面図。
【図９】固定機構の支軸部の一部断面拡大平面図。
【図１０】アームの正面図。
【図１１】梯子の使用状態を示す側面図。
【発明を実施するための形態】
【００１５】
基体の下端に引掛け体を、最上部に基体の縦杆に垂直な平面に対する投影形状が裏面側に開いたＶ字形の係合杆を夫々装着し、上記引掛け体を介して梯子又は脚立の裏面側に係合させた基体を梯子又は脚立の裏面に当接させた後、表面側に突き抜けた固定機構の操作レバーを介して押し付け体を回動させ、これを梯子又は脚立のステップバーの下面に圧接させることにより引掛け体と押し付け体とを上下方向に拡開するようにしたので、アタッチメントを梯子に簡単かつ容易に装着することができるばかりでなく、係合杆を電柱等に係合させることにより、梯子を安定に電柱等に立て掛けることができ、そのため梯子の使用勝手が格段に向上する。
【実施例１】
【００１６】
以下、本発明の一実施例を図面を参照して説明する。
図１において符号１はアタッチメントの基体の全体を示し、この基体１は、一対の縦杆２、２を水平な複数（図示の実施例では３本）のステップバー３、３で連結した梯子状に成形されている。
【００１７】
図示の実施例における縦杆２は、図２に示すように、例えば横断面形状がコ字形のアルミの形材であり、図２及び図３に示すように、横断面が細長い台形のステップバー３の両端を縦杆２のコ字形の内側に差し入れるようにして、例えばリベット４止めによりステップバー３を固定している。
【００１８】
なお、図１及び図３に示すように、ステップバー３はその細い側面を表面側、に向ける関係位置で縦杆２に固定されている。
【００１９】
一方、図１及び図４に示すように、基体の最下段のステップバー３には少なくとも１個（図１には２個）の引掛け体５、５が一体的に結合されている。
【００２０】
この引掛け体５は、図５に示すように、基体に平行な前垂れ部６を表面側に突出させており、例えばねじ７によりステップバー３に固定されている。
【００２１】
他方、図１及び図６に示すように、基体１の最上部にはステップバー３と平行な関係位置で係合杆８が一体的に装着されている。
【００２２】
この係合杆８は、図６に示すように、基体の縦杆１に垂直な平面に対する投影形状が基体の裏側（図６で上方）に開いたＶ字形をしている。
【００２３】
したがって、この係合杆８のＶ字形を電柱や立ち木などに立て掛けると、係合杆８が電柱等を抱持することになるので、アタッチメントの上端が動かず梯子が安定する。
【００２４】
なお、上記した理由から、係合杆８のＶ字形の裏面（図６で上面）をゴム引きすることが望ましい。
【００２５】
また、図１に示すように、引掛け体５の上方には、引掛け体を梯子又は脚立の任意のステップバーに裏面側から係合させた基体を梯子又は脚立に取り外し可能に連結する固定機構９が配設されている。
【００２６】
この固定機構９は、図８に示すように、引掛け体５の上方における縦杆２（図１参照）、又は引掛け体の上方における縦杆２の水平方向における近傍において回動自在に支承された基体１に垂直な支軸１１（図８及び図９参照）を備えている。
【００２７】
図示の実施例における支軸１１は、図８及び図９に示すように、通常はアルミ製の縦杆２の内側に入れ子状に収納された鉄やステンレスなどの硬い材質で、横断面形状がコ字形の支軸支承体１２の両側板を貫通するようにして回動可能に支持、案内されている。
【００２８】
支軸１１が図８及び図９において左右に遊動することを防ぐため、支軸支承体１２の側板が居にある支軸１１の部分には、例えばＥ−リングなどの止めを１３、１３が嵌装されている。
【００２９】
なお、上記支軸支承体１２の背面には、図８に示すように、上下一対の縦長の長穴１４、１４が開口しており、これらの長穴及び図示しない縦杆背面のボルト穴を貫通するボルト及びナットを緩めることにより支軸支承体１２の上下方向の位置を調節し、ナットを締めることによりその位置を固定することができる。
【００３０】
このように支軸１１の位置を調節することの意義は、市販の脚立や梯子はメーカーによってステップバーの間隔が微妙に異なるため、その間隔の変化に対応して固定機構の機能を担保するためである。
【００３１】
この支軸１１の基体表面側の端部には、基体と平行なアーム１５が装着されている。
【００３２】
このアーム１５は、図１０に示すように、全体の形状が小判形の板状体で、その右側にはやはり小判形の異形孔が開口しており、支軸１１の基体表面側の端部に形成された同形の異形断面部をこのアームの異形孔に嵌合させ、この嵌合部をかしめることによりアーム１５が支軸に装着される。
【００３３】
一方、図１０に示すように、アーム１５の自由端部には雌ねじ孔１６が開口しており、この雌ねじ孔１６に一端（図８で右端）を螺合させた支軸１１と平行なねじ杆１７の根本（すなわちアームとの螺合部）を溶接することにより、ねじ杆１７がアームの自由端部が確りと固定されている。
【００３４】
このねじ杆１７には、図８に示すように、ゴムや軟質プラスチックなどの弾性体よりなる厚肉円板形の押し付け体１８がねじ杆１７と同軸に螺合している。
【００３５】
押し付け体１８をねじ杆に螺合、装着するには、ねじ杆の雄ねじ部と螺合するナット様の筒体の周りに弾性材質の円板を接着しても良いし、或いは、ねじ杆の雄ねじ部より小径の穴を中心に形成した弾性材質の円板をねじ杆に無理に嵌め込んで回すと、上記小径の穴の内面に雌ねじ孔を創成しつつねじ杆に沿って移動する。
【００３６】
なお、押し付け体１８をねじ杆の長さ方向に沿って移動可能にしたことの意義は、通常梯子のステップバーの下面が斜面になっていることから、押し付け体１８の位置を変えることにより、押し付け強さを調節することができることにある。
【００３７】
他方、上記ねじ杆１７の表面側の端部（図８で左端部）には、アーム１５と平行な操作レバー１９がねじ杆１７とＬ字形になる態様で装着されている。
【００３８】
この操作レバー１９をねじ杆１７に固着するには、例えば、ねじ杆１７の図８における左端部に操作れば１９の下端部に形成された図示しない雌ねじ孔を螺合させ、操作レバー１７のアーム１５に対する関係角度位置（図７における関係角度は０度）を適切に設定した後、操作レバー１９とねじ杆１７の螺合部を溶接する。
【００３９】
なお、実際には支軸１１から操作レバー１９に至る一連の部材を相互に連結した後、支軸１１を先にしてアタッチメントの基体の表面側から縦杆２の側面に開口した上下方向に長い付番しない長穴、支軸支承体１２を貫通するように挿し通し、止め輪１３、１３で固定する。
【００４０】
上記のように構成されたこの発明の一実施例によるアタッチメントは、図１１に示すように、引掛け体５を梯子の任意のステップバーに裏面側から係合させた基体を、梯子２１の裏面に当接させた後、操作レバー１９を回動してアタッチメントを梯子２１に固定する。
【００４１】
すなわち、図７及び図８においては操作レバー１９は時計盤面に換算して１２時の角度位置にあるが、これを例えば左の操作レバーは１０時、右の操作レバーは２時の角度位置にしてからこれらのレバー１９、１９を左方のものは時計方向に、右方のものは反時計方向に回動させる。
【００４２】
すると、左右の各押し付け体１８は、支軸１１を中心にして回動しつつ梯子のステップバー３の下面に下方から近接し、下面に当接するに至り弾性変形しつつ図７、８に示す最上位置に至る。
【００４３】
実際には、図７に示す状態から左側の押し付け体１８を更に時計方向に少し回動させる（右側のものは反時計方向）。その理由は下記段落［００４５］に記載した通りである。
【００４４】
そのため、図７に示すように、アタッチメントの縦杆に埴設されたピン様のストッパ２２と、アーム１５の下端縁部に形成された扇形の案内切欠２３の右方の端面とを当接させる。
【００４５】
すると、アーム１５は時計方向に回動しようとするとストッパ２２に阻まれ、反時計方向に回動しようとすると押し付け体１８が更に梯子のステップバーを押し上げなければならないので、結局押し付け体１８は最上位置より少し下がった状態が安定なのである。
【００４６】
元に戻って、操作レバーを回動させて押し付け体１８により梯子のステップバー３を押し上げるということは、アタッチメントが引掛け体５と押し付け体１８とを梯子のステップバー間で突っ張るということであるから、アタッチメントは押し付け体１８の摩擦係合を介して梯子に固定されることになる。
【００４７】
なお、アタッチメントを連結した梯子を現場に持って行って図１１に示すように立木等に立て掛けた後、操作レバーを回して押し付け体１８を梯子のステップバーから外しても、アタッチメントと梯子とが分離してしまうことはない。
【００４８】
その理由は、アタッチメントが梯子の裏面に押し付けられるようにモーメントが作用し、両者が圧接されるからである。
【符号の説明】
【００４９】
１  基体
２  縦杆
３  ステップバー
４  リベット
５  引掛け体
６  前垂れ部
７  ねじ
８  係合杆
９  固定機構
１１  支軸
１２  支軸支承体
１３  止め輪
１４  長穴
１５  アーム
１６  雌ねじ孔
１７  ねじ杆
１８  押し付け体
１９  操作レバー
２１  梯子
２２  ストッパ
２３  切欠き
【図１】
0005360077.tif 000002
【図２】
0005360077.tif 000003
【図３】
0005360077.tif 000004
【図４】
0005360077.tif 000005
【図５】
0005360077.tif 000006
【図６】
0005360077.tif 000007
【図７】
0005360077.tif 000008
【図８】
0005360077.tif 000009
【図９】
0005360077.tif 000010
【図１０】
0005360077.tif 000011
【図１１】
0005360077.tif 000012